(57)【特許請求の範囲】
【請求項１】
設定された受信周波数の放送波を受信する放送受信手段と、
水平方向および垂直方向に沿った表示の有効画素数および有効表示期間は変えずに、水平方向に沿った水平ブランキング期間を可変することにより、水平方向の各ラインに対応する水平同期周波数を変更することが可能な液晶表示装置と、
前記放送受信手段において設定された前記受信周波数と、前記水平同期周波数を整数倍した逓倍周波数の差の最小値が所定値以上となるように前記水平同期周波数を設定する水平同期周波数設定手段と、
前記放送波の受信動作に対応する動作画面および操作画面の少なくとも一方を前記液晶表示装置に表示するために必要な映像信号を生成する映像描画処理手段と、
を備えることを特徴とする放送受信装置。
【請求項２】
請求項１において、
前記水平同期周波数設定手段による前記水平同期周波数の設定に用いられる前記所定値は、利用者の可聴範囲よりも高い値が用いられることを特徴とする放送受信装置。
【請求項３】
請求項１または２において、
前記水平同期周波数設定手段は、前記水平同期周波数の設定を、前記放送受信手段によって受信する放送波の周波数が変更される毎に行うことを特徴とする放送受信装置。
【請求項４】
請求項３において、
前記水平同期周波数設定手段は、前記水平同期周波数の設定を、垂直方向に沿った垂直ブランキング期間内に行うことを特徴とする放送受信装置。
【請求項５】
請求項３または４において、
前記放送受信手段によって受信する放送波の周波数毎に、前記水平同期周波数を整数倍した逓倍周波数との差の最小値が所定値以上となる前記水平同期周波数を特定する水平同期周波数設定情報が格納された設定情報格納手段をさらに備え、
前記水平同期周波数設定手段は、前記放送受信手段によって受信する放送波の周波数が変更される毎に、前記設定情報格納手段に格納された前記水平同期周波数設定情報に基づいて前記水平同期周波数の設定を行うことを特徴とする放送受信装置。
【請求項６】
請求項１〜５のいずれか一項において、
前記水平同期周波数設定手段による設定変更の前後で、変更前の前記水平同期周波数と変更後の前記水平同期周波数との差が基準値よりも大きい場合に、前記水平同期周波数の設定変更が複数回に分けて行われることを特徴とする放送受信装置。
【請求項７】
請求項６において、
前記複数回に分けた設定変更は、前記液晶表示装置による表示内容が更新される毎に行われることを特徴とする放送受信装置。
【請求項８】
請求項１〜７のいずれか一項において、
前記水平同期周波数設定手段による前記水平同期周波数の設定変更の前後でリフレッシュレートが一定になるように、垂直方向に沿った垂直ブランキング期間の長さを調整する垂直ブランキング期間調整手段をさらに備えることを特徴とする放送受信装置。
【請求項９】
請求項１〜８のいずれか一項において、
前記放送受信手段は、ＦＭ放送波を受信することを特徴とする放送受信装置。
【請求項１０】
請求項９において、
前記液晶表示装置には、前記映像描画手段によって生成された第１の映像信号と、この第１の映像信号以外の第２の映像信号とが選択的に入力され、
前記水平同期周波数設定手段による水平同期周波数の設定変更は、前記第１の映像信号に対応する表示について行われ、前記第２の映像信号に対応する表示については行われないことを特徴とする放送受信装置。
【発明の詳細な説明】
【技術分野】
【０００１】
本発明は、ＬＣＤ（液晶表示装置）等の表示装置を備えた放送受信装置に関する。
【背景技術】
【０００２】
ＦＭ受信機に大きなＬＣＤからなる表示部を設けると、ＬＣＤの駆動信号によってノイズが発生して出力音声に混入するおそれがあり、何らかの対策が必要になる。例えば、ＬＣＤを構成する各画素に対応するドッドクロック（ピクセルクロック）が３７．１２５ＭＨｚ、水平同期周波数が３５．１５６ｋＨｚの場合を考えると、この水平同期周波数の整数倍の高調波成分とＦＭ放送波の受信周波数とが接近したときに、ＦＭ受信機の聴取者の可聴範囲に含まれるビート成分が生じて、耳障りなノイズとなる。
【０００３】
このような特定の通信周波数（受信周波数）とＬＣＤの動作周波数の高調波成分とが接近することにより生じる不都合を回避する従来技術として、ＬＣＤ駆動用のドットクロックの周波数を複数用意しておいて、その中から、使用する通信周波数帯が、ドットクロックの周波数の高調波成分と干渉しないように（接近しないように）選択するようにした電子機器が知られている（例えば、特許文献１参照。）。
【０００４】
この電子機器では、通信周波数が異なる２種類の無線通信が可能であり、一方の無線通信の通信周波数（例えば、１５７５．４２ＭＨｚ）を中心とした所定範囲内に、ＬＣＤ駆動用のドットクロックの周波数（例えば、６８．３５ＭＨｚ）の高調波成分が含まれる場合に、このドットクロックを異なる周波数（例えば、６８．９０ＭＨｚ）に切り替えることにより、ドットクロックの周波数の高調波成分が無線通信の通信周波数と接近しないようにしている。
【先行技術文献】
【特許文献】
【０００５】
【特許文献１】特開２０１０−１４１５３８号公報
【発明の概要】
【発明が解決しようとする課題】
【０００６】
ところで、上述した特許文献１に開示された電子機器では、ドットクロックの周波数を切り替えることにより、その高調波成分が無線通信の通信周波数と干渉しないようにしているが、この手法をＦＭ受信機にそのまま適用して出力音声に含まれるノイズを抑制する場合には以下に示す問題があった。
【０００７】
（１）ＦＭ受信機の表示部を考えた場合に、ドットクロックを固定して用いる構成が一般的であり、ドットクロックの周波数を切り替えるためには大幅な構成の変更が必要になり、ノイズ低減のためだけにこの周波数の切り替え機構を設けることは現実的ではない。これに対し、引用文献１の電子機器では、例えばノートＰＣにおいてＬＣＤの解像度を変更して使用することを想定しているため、この解像度変更のためにドットクロックを切り替える複雑な機構が予め備わっている。
【０００８】
（２）特許文献１では、ノートＰＣを機能したときにドットクロックの周波数の切り替えを行っており、その後この切り替えられた周波数を維持してノートＰＣを使用すればよいが、ＦＭ受信機の場合には、動作途中で受信周波数が利用者の指示に応じて変更されるため、その都度ドットクロックの周波数を切り替えると表示のちらつき等が発生して、表示品質が低下するおそれがある。
【０００９】
本発明は、このような点に鑑みて創作されたものであり、その目的は、出力音声に含まれるＬＣＤに起因するノイズの発生を、大幅な構成の変更を行うことなく防止することが可能であり、受信周波数切替時における表示のちらつき発生による表示品質の低下を抑制することができる放送受信装置を提供することにある。
【課題を解決するための手段】
【００１０】
上述した課題を解決するために、本発明の放送受信装置は、設定された受信周波数の放送波を受信する放送受信手段と、水平方向および垂直方向に沿った表示の有効画素数および有効表示期間は変えずに、水平方向に沿った水平ブランキング期間を可変することにより、水平方向の各ラインに対応する水平同期周波数を変更することが可能な液晶表示装置と、放送受信手段において設定された受信周波数と水平同期周波数を整数倍した逓倍周波数の差の最小値が所定値以上となるように水平同期周波数を設定する水平同期周波数設定手段と、放送波の受信動作に対応する動作画面および操作画面の少なくとも一方を液晶表示装置に表示するために必要な映像信号を生成する映像描画処理手段とを備えている。特に、上述した水平同期周波数設定手段による水平同期周波数の設定に用いられる所定値は、利用者の可聴範囲よりも高い値が用いられることが望ましい。
【００１１】
これにより、水平同期周波数の整数倍の周波数とＦＭ放送波の受信周波数とが接近することによる利用者の可聴範囲に含まれるビートノイズの発生を、ドットクロックの周波数を変更する場合のような大幅な構成の変更を伴うことなく、確実に防止することができる。
【００１２】
また、上述した水平同期周波数設定手段は、水平同期周波数の設定を、放送受信手段によって受信する放送波の周波数が変更される毎に行うことが望ましい。これにより、ＦＭ放送の受信周波数が切り替えられた場合であっても、すべての受信周波数についてビートノイズの発生を防止することができる。
【００１３】
また、上述した水平同期周波数設定手段は、水平同期周波数の設定を、垂直方向に沿った垂直ブランキング期間内に行うことが望ましい。これにより、水平同期周波数の変更に伴う画面のちらつきを防止することができる。
【００１４】
また、上述した放送受信手段によって受信する放送波の周波数毎に、水平同期周波数を整数倍した逓倍周波数との差の最小値が所定値以上となる水平同期周波数を特定する水平同期周波数設定情報が格納された設定情報格納手段をさらに備え、水平同期周波数設定手段は、放送受信手段によって受信する放送波の周波数が変更される毎に、設定情報格納手段に格納された水平同期周波数設定情報に基づいて水平同期周波数の設定を行うことが望ましい。これにより、ＦＭ放送波の受信周波数を変更した際に、変更後の受信周波数に対応する水平同期周波数の設定処理を簡略化することができ、受信周波数変更時のビートノイズの発生を最小限に抑えることができる。
【００１５】
また、上述した水平同期周波数設定手段による設定変更の前後で、変更前の水平同期周波数と変更後の水平同期周波数との差が基準値よりも大きい場合に、水平同期周波数の設定変更が複数回に分けて行われることが望ましい。これにより、受信周波数変更に伴って水平同期周波数を大幅に変更する場合であっても、急激な水平同期周波数の変更を抑制することができ、表示に違和感が生じることを防止することができる。
【００１６】
また、上述した複数回に分けた設定変更は、液晶表示装置による表示内容が更新される毎に行われることが望ましい。これにより、複数回に分けて水平同期周波数を変更する場合であっても、変更の都度画面にちらつきが生じることを防止することができる。
【００１７】
また、上述した水平同期周波数設定手段による水平同期周波数の設定変更の前後でリフレッシュレートが一定になるように、垂直方向に沿った垂直ブランキング期間の長さを調整する垂直ブランキング期間調整手段をさらに備えることが望ましい。これにより、水平同期周波数を変更した際の影響を最小限に抑えることができる。
【００１８】
また、上述した放送受信手段は、ＦＭ放送波を受信することが望ましい。これにより、ＦＭ放送波受信時に液晶表示装置による表示動作に伴って発生するビートノイズの発生を確実に防止することができる。
【００１９】
また、上述した液晶表示装置には、映像描画手段によって生成された第１の映像信号と、この第１の映像信号以外の第２の映像信号とが選択的に入力され、水平同期周波数設定手段による水平同期周波数の設定変更は、第１の映像信号に対応する表示について行われ、第２の映像信号に対応する表示については行われないことが望ましい。これにより、必要時（ＦＭ放送の音声出力時）のみについて水平同期周波数を可変する対策を行い、それ以外についてはこの対策が行われないため、水平同期周波数を可変することによる影響（違和感の発生等）を最小限に抑えることができる。
【図面の簡単な説明】
【００２０】
【図１】一実施形態の車載装置の構成を示す図である。
【図２】ＬＣＤユニットの有効表示領域（期間）と水平ブランキング期間および垂直ブランキング期間を示す図である。
【図３】フラッシュメモリに格納された対応テーブルを示す図である。
【図４】ＦＭ放送の受信周波数を切り替える際に水平同期周波数を可変設定する動作手順を示す流れ図である。
【発明を実施するための形態】
【００２１】
以下、本発明の放送受信装置を適用した一実施形態の車載装置について、図面を参照しながら説明する。図１は、一実施形態の車載装置の構成を示す図である。図１に示すように、車載装置１は、ナビゲーション処理部１０、ＡＭラジオチューナ１４、ＦＭラジオチューナ１６、ＡＶ処理部１８、映像描画処理部２０、ＬＣＤユニット２２、タッチパネル３０、タッチパネル制御部３２、操作部３４、入力処理部３６、デジタル−アナログ変換器（Ｄ／Ａ）４０、スピーカ４２、制御部５０、フラッシュメモリ６０を備えている。
【００２２】
ナビゲーション処理部１０は、自車位置を検出するＧＰＳ装置１２とともに用いられ、地図データを用いて車載装置１が搭載された車両の走行を案内するナビゲーション動作を行う。ＡＭラジオチューナ１４は、ＡＭ放送の番組を受信し、番組内容に対応する音声をを再生する処理を行う。ＦＭラジオチューナ１６は、ＦＭ放送の番組を受信し、番組内容に対応する音声をを再生する処理を行う。ＡＶ処理部１８は、圧縮されてハードディスク装置や半導体メモリ等（図示せず）に記憶されている音楽データや映像データを読み出して再生する処理を行う。
【００２３】
映像描画処理部２０は、ナビゲーション処理部１０、ＡＭラジオチューナ１４、ＦＭラジオチューナ１６、ＡＶ処理部１８のそれぞれの動作に対応する動作画面と操作画面の少なくとも一方を表示する映像信号を生成してＬＣＤユニット２２にこれらの画面を表示する。この映像信号には、ＬＣＤ描画用のドットクロック（ＤｏｔＣＬＫ、水平方向の各画素の表示周期に対応する周波数を有する）と、ＲＧＢ形式の映像データ（ＤＡＴＡ）と、水平同期信号と垂直同期信号の合成波としてのデータイネーブル信号（ＥＮ）とが含まれている。
【００２４】
ＬＣＤユニット２２は、運転席と助手席の中央前方に配置されており、例えば、ＴＦＴ（Thin Film Transistor）パネルとこれを駆動するドライバを含んで構成されている。このドライバは、水平方向（Ｘ方向）に並んだ各画素に対応するデータ線に駆動信号を供給するＸドライバと、Ｙ方向（垂直方向）に並んだ各画素に対応するデータ線に駆動信号を供給するＹドライバと、映像描画処理部２０から入力される映像信号（ＤｏｔＣＬＫ、ＤＡＴＡ、ＥＮ）に基づいてＸドライバとＹドライバの動作に必要な信号を生成するタイミングコントローラとを含んでいる。一例として、本実施形態では、水平方向が８００画素で垂直方向が４８０画素の有効表示領域（解像度）を有するＬＣＤユニット２２が用いられる。
【００２５】
また、本実施形態では、ＬＣＤユニット２２は、水平方向および垂直方向に沿った表示の有効画素数（８００画素×４８０画素）および有効表示期間は変えずに、水平方向に沿った水平ブランキング期間を可変することにより、水平方向の各ラインに対応する水平同期周波数を変更することができる。
【００２６】
タッチパネル３０は、ＬＣＤユニット２２の表示画面の表面に配置されている。タッチパネル制御部３２は、タッチパネル３０を用いて位置検出を行うために必要な制御を行う。タッチパネル３０とタッチパネル制御部３２によって、例えば静電容量方式で位置検出を行う位置検出装置が構成されている。ＬＣＤユニット２２に各種の操作画面が表示された時点で、この操作画面の一部を利用者が指などで直接指し示すことにより、操作画面に含まれるいずれかの表示項目を選択することができるようになっており、このような操作画面を用いた操作を可能とするために、指し示された指などの位置を検出するタッチパネル３０が備わっている。
【００２７】
操作部３４は、車載装置１に対する利用者による操作を受け付けるためのものであり、ＬＣＤユニット２２の周囲に配置された各種の操作キー、操作スイッチ、操作つまみ等を含んで構成されている。入力処理部３６は、操作部３４を用いた操作内容やタッチパネル制御部３２による検出内容を監視しており、利用者の操作内容を決定する。
【００２８】
デジタル−アナログ変換器４０は、ナビゲーション処理部１０、ＡＭラジオチューナ１４、ＦＭラジオチューナ１６、ＡＶ処理部１８のそれぞれの処理によって生成される音声データや音楽データをアナログの音声信号に変換してスピーカ４２から出力する。なお、実際には、デジタル−アナログ変換器４０とスピーカ４２の間には信号を増幅する増幅器が接続されているが、図１ではこの増幅器は省略されている。また、デジタル−アナログ変換器４０とスピーカ４２との組合せは再生チャンネル数分備わっているが、図１では一組のみが図示されている。
【００２９】
制御部５０は、車載装置１の全体を制御するためのものであり、ＲＯＭやＲＡＭなどに格納された所定のプログラムをＣＰＵで実行することにより実現される。
【００３０】
一般に、ＦＭラジオチューナ１６を用いてＦＭ放送波を受信してその放送内容に対応する音声を出力中に、ＬＣＤユニット２２の水平同期周波数を整数倍した逓倍周波数とＦＭ放送波の受信周波数と差が所定値未満（利用者の可聴範囲の上限値（例えば１７ｋＨｚ）未満）となる場合には、この差に相当する周波数のノイズ（ビートノイズ）が出力中の音声に混入する。
【００３１】
本実施形態の車載装置１では、このビートノイズの混入を排除するために、ＦＭ放送受信時に、受信周波数毎にビートノイズが混入しないように、ＬＣＤユニット２２の水平同期周波数を可変設定している。制御部５０は、ＦＭ放送波の受信制御やＬＣＤユニット２２の水平同期周波数の可変設定を行うために、ＦＭラジオ制御部５２、水平同期周波数設定部５４、垂直ブランキング期間調整部５６を有する。
【００３２】
ＦＭラジオ制御部５２は、ＦＭラジオチューナ１６によるＦＭ放送波の受信動作を制御する。この制御には、ＦＭ放送局の切り替え（受信周波数変更）や、この切り替えのための操作画面の生成などが含まれる。なお、ＦＭ放送局を切り替える方法は、あらかじめ複数の放送局のそれぞれを複数のプリセットキーに割り付けておいていずれかのプリセットが押下されたときにこのプリセットキーに対応する放送局に切り替える場合や、受信周波数のアップ／ダウンキーが長押しされたときに放送波が検出されるまで受信周波数をアップ／ダウン（シーク動作）させる場合やアップ／ダウンキーが短い間隔で複数回押下されたときに受信周波数を０．１ＭＨｚ間隔でアップ／ダウンさせる場合（手動切替動作）などが考えられる。
【００３３】
水平同期周波数設定部５４は、ＦＭラジオ制御部５２によって設定されたＦＭ放送波の受信周波数と、ＬＣＤユニット２２の水平同期周波数を整数倍した逓倍周波数の差の最小値が所定値（利用者の可聴範囲よりも高い値）以上となるようにＬＣＤユニット２２の水平同期周波数を設定（変更）する。この水平同期周波数の設定に用いられる所定値は、利用者の可聴範囲よりも高い値が用いられる。例えば、利用者の可聴範囲の上限値が約１５ｋＨｚであるとし、その値よりも高い１７ｋＨｚが所定値として用いられる。
【００３４】
また、水平同期周波数設定部５４による水平同期周波数の設定は、水平ブランキング期間の長さを可変することにより、ＦＭ放送波の受信周波数が変更される毎に行う。特に、この水平同期周波数の設定は、ＬＣＤユニット２２の垂直ブランキング期間内に行われる。
【００３５】
なお、本実施形態では、ＦＭ放送波の受信周波数毎に、水平同期周波数を整数倍した逓倍周波数との差の最小値が所定値以上となる水平同期周波数を特定する水平同期周波数設定情報が対応テーブルとして格納されたフラッシュメモリ６０が備わっている。
【００３６】
水平同期周波数設定部５４は、ＦＭ放送波の受信周波数が変更される毎に、フラッシュメモリ６０に格納された対応テーブルを用いて、変更後の受信周波数に対応する水平同期周波数の設定を行う。
【００３７】
図２は、ＬＣＤユニット２２の有効表示領域（期間）と水平ブランキング期間および垂直ブランキング期間を示す図である。図２に示すように、本実施形態のＬＣＤユニット２２は、８００画素×４８０画素の有効表示領域を有しており、各画素に対応するドットクロックの周波数は固定（例えば、３７．１２５ＭＨｚ）となっている。すなわち、８００画素×４８０画素の表示に要する時間（有効表示期間）は一定であって、水平ブランキング期間の長さを調整することにより、水平同期周波数の可変設定が行われる。
【００３８】
具体的には、水平方向に沿った各ラインには、８８画素（ｄｏｔ）分の固定水平ブランキング期間、８００画素の有効表示期間、２２〜２５０画素分の可変水平ブランキング期間が含まれる。すなわち、固定水平ブランキング期間と可変水平ブランキング期間を含めた各ラインの画素数は、９１０〜１１３８画素であり、１画素分の周波数であるドットクロックの周波数が３７．１２５ＭＨｚの場合には、水平同期周波数の可変範囲は３２．６２３〜４０．７９７ｋＨｚとなる。
【００３９】
また、垂直方向に沿って、３２ライン分の固定垂直ブランキング期間、４８０ラインの有効表示期間、１３ライン分の固定垂直ブランキング期間が含まれる。上述した水平同期周波数設定部５４による水平同期周波数の可変設定は、３２ライン分の固定垂直ブランキング期間内（あるいは、１３ライン分の垂直ブランキング期間内でもよい）に行われる。
【００４０】
図３は、フラッシュメモリ６０に格納された対応テーブルを示す図である。図３に示すように、対応テーブルには、受信周波数毎に、設定値、水平同期周波数（ｋＨｚ）、最小偏差（ｋＨｚ）が含まれている。設定値は、図２に示す固定水平ブランキング期間、有効表示期間、可変水平ブランキング期間を合計した水平１ラインに含まれる画素数（ドットクロック数）である。水平同期周波数は、この設定値に対応する水平同期周波数を示す。また、最小偏差は、この水平同期周波数を整数倍した複数の逓倍周波数と同期周波数との差の最小値を示す。なお、実際には、受信周波数に対応する設定値がわかればよい。図３では、説明のために各設定値に対応する水平同期周波数と最小偏差を含めたが、実際の対応テーブルにはこれらは含まれていない。
【００４１】
垂直ブランキング期間調整部５６は、水平同期周波数設定部５４による水平ブランキング期間の設定が変更されたときに、変更の前後でリフレッシュレートが一定になるように、垂直方向に沿った垂直ブランキング期間の長さを調整する。上述したように、水平方向の各ラインに画素数を可変し、かつ、垂直方向のライン数（５２５ライン）を固定すると、１画面の表示に要する時間が一定せずに、水平同期周波数の変更に伴ってリフレッシュレート（単位時間あたりの表示フレーム数）が変化してしまう。垂直ブランキング期間調整部５６は、垂直ブランキング期間の長さを調整して、１画面の表示に要する時間がほぼ一定になるようにする。なお、この垂直ブランキング期間調整部５６による動作は任意選択であって、実施の要否は利用者によって指定したり、製品開発者あるいは販売メーカーによって指定したりすることができる。また、この任意選択の動作が不要な場合には、垂直ブランキング期間調整部５６を削除するようにしてもよい。
【００４２】
上述したＦＭラジオチューナ１６、ＦＭラジオ制御部５２が放送受信手段に、ＬＣＤユニット２２が液晶表示装置に、水平同期周波数設定部５４が水平同期周波数設定手段に、映像描画処理部２０が映像描画処理手段に、フラッシュメモリ６０が設定情報格納手段に、垂直ブランキング期間調整部５６が垂直ブランキング期間調整手段にそれぞれ対応する。
【００４３】
本実施形態の車載装置１はこのような構成を有しており、次にＦＭ放送の受信周波数を切り替える動作を説明する。図４は、ＦＭ放送の受信周波数を切り替える際に水平同期周波数を可変設定する動作手順を示す流れ図である。
【００４４】
車載装置１に電源が投入されて動作を開始すると、水平同期周波数設定部５４は、ＦＭ放送を受信するか否かを判定する（ステップ１００）。受信しない場合には否定判断が行われ、この判定が繰り返される。また、ＦＭ放送を受信する場合（利用者によってＦＭ放送の受信が指示された場合や、前回車載装置１の電源を切断した時点でＦＭ放送を受信しており今回の電源投入時にその状態を継続した場合）には、ステップ１００の判定において肯定判断が行われる。
【００４５】
次に、水平同期周波数設定部５４は、ＦＭ放送の受信周波数が変更されたか否かを判定する（ステップ１０２）。受信周波数が変更されない場合には否定判断が行われ、この判定が繰り返される。また、受信周波数が変更された場合（利用者によって変更指示が行われた場合）にはステップ１０２の判定において肯定判断が行われる。
【００４６】
次に、水平同期周波数設定部５４は、受信周波数変更中か否かを判定する（ステップ１０４）。例えば、アップ／ダウンキーを用いたシーク動作や手動切替動作を実施中の場合には肯定判断が行われ、この判定が繰り返される。また、受信周波数の変更が終了した場合にはステップ１０４の判定において否定判断が行われ、ＦＭラジオ制御部５２は、ＦＭ放送の受信周波数を確定する（ステップ１０６）。
【００４７】
次に、水平同期周波数設定部５４は、ＬＣＤユニット２２で表示中の内容がＦＭ放送波に対応する映像信号（第１の映像信号）に対応するものか否かを判定する（ステップ１０８）。例えば、受信中のＦＭ放送波の周波数や受信周波数の切り替えなどを指示するための操作画面や動作画面が表示されている場合には肯定判断が行われる。
【００４８】
次に、水平同期周波数設定部５４は、フラッシュメモリ６０に格納された対応テーブルを参照して、変更後の受信周波数に対応する設定値（水平１ラインに対応する画素数（ドットクロック数））を読み出し（ステップ１１０）、現在の受信周波数に対応する１ラインの画素数（ドットクロック数）と変更後の受信周波数に対応する１ラインの画素数との差を算出する（ステップ１１２）。
【００４９】
次に、水平同期周波数設定部５４は、ステップ１１２で算出した画素数の差が基準値（例えば１０）以下か否かを判定する（ステップ１１４）。基準値以下の場合には肯定判断が行われる。次に、水平同期周波数設定部５４は、ステップ１１０において読み出した変更後の受信周波数に対応する設定値に基づいて水平同期周波数（１ラインを構成する画素数およびドットクロック数）を変更する（ステップ１１６）。この変更は、垂直ブランキング期間にて行われる。
【００５０】
一方、ステップ１１２で算出した画素数が基準値を超える場合にはステップ１１４の判定において否定判断が行われる。この場合には、水平同期周波数設定部５４は、現在の受信周波数に対応する１ラインの画素数を、受信周波数変更後の１ラインの画素数に向けて１０画素分変更する（ステップ１１８）。この変更は、ＬＣＤユニット２２による表示内容が更新される毎（表示フレームが切り替わる毎）であって垂直ブランキング期間にて行われる。その後、ステップ１１４に戻って、画素数の差と基準値との比較判定動作が行われる。
【００５１】
このようにして水平同期周波数（１ラインを構成する画素数）の変更が行われた後、あるいは、ＦＭ放送波に対応する第１の映像信号以外の映像信号（第２の映像信号）についてＬＣＤユニット２２による表示を行う場合であってステップ１０８の判定において否定判断が行われた後、水平同期周波数設定部５４は、ＦＭ放送を受信中か否かを判定する（ステップ１２０）。受信中の場合には肯定判断が行われ、ステップ１０２に戻って受信周波数変更の有無が判定される。また、ＦＭ放送の受信が終了した場合（例えば、利用者によって、ＦＭ放送聴取の終了が指示された場合や、ナビゲーション動作やＡＭ放送受信等の他の動作への切り替えが指示された場合）にはステップ１２０の判定において否定判断が行われる。この場合には、水平同期周波数設定部５４は、水平同期周波数を初期値（例えば３５．１５６ｋＨｚ）に戻した後（ステップ１２２）、水平同期周波数の可変設定に関する一連の動作を終了する。
【００５２】
このように、本実施形態の車載装置１では、水平同期周波数の整数倍の周波数とＦＭ放送波の受信周波数とが接近することによる利用者の可聴範囲に含まれるビートノイズの発生を、ドットクロックの周波数を変更する場合のような大幅な構成の変更を伴うことなく、確実に防止することができる。
【００５３】
また、水平同期周波数の設定を、ＦＭ放送波の受信周波数が変更される毎に行うことにより、変更後のすべての受信周波数についてビートノイズの発生を防止することができる。また、水平同期周波数の設定を垂直ブランキング期間内に行うことにより、水平同期周波数の変更に伴う画面のちらつきを防止することができる。
【００５４】
また、ＦＭ放送波の受信周波数毎に、水平同期周波数を整数倍した逓倍周波数との差の最小値が所定値以上となる水平同期周波数を特定する水平同期周波数設定情報が対応テーブルの形式で格納されたフラッシュメモリ６０が備わっており、ＦＭ放送波の受信周波数が変更される毎に、この対応テーブルに基づいて水平同期周波数の設定が行われる。これにより、ＦＭ放送波の受信周波数を変更した際に、変更後の受信周波数に対応する水平同期周波数の設定処理を簡略化することができ、受信周波数変更時のビートノイズの発生を最小限に抑えることができる。
【００５５】
また、上述した水平同期周波数の設定変更の前後で、変更前の水平同期周波数と変更後の水平同期周波数との差が基準値よりも大きい場合（図４に示した例では、それぞれの水平１ラインに含まれる画素数（ドットクロック数）の差が１０を超えた場合）に、水平同期周波数の設定変更が複数回に分けて行われる。これにより、受信周波数変更に伴って水平同期周波数を大幅に変更する場合であっても、急激な水平同期周波数の変更を抑制することができ、表示に違和感が生じることを防止することができる。特に、このような複数回に分けた設定変更は、液晶表示装置による表示内容が更新される毎（垂直ブランキング期間内）に行われる。これにより、複数回に分けて水平同期周波数を変更する場合であっても、変更の都度画面にちらつきが生じることを防止することができる。
【００５６】
また、水平同期周波数の設定変更の前後でリフレッシュレートが一定になるように、垂直方向に沿った垂直ブランキング期間の長さを調整することにより（任意選択である垂直ブランキング期間調整部５６による調整動作を有効にした場合）、水平同期周波数を変更した際の影響を最小限に抑えることができる。
【００５７】
また、必要時（ＦＭ放送の音声出力時）のみについて水平同期周波数を可変する対策を行い、それ以外についてはこの対策が行われないため、水平同期周波数を可変することによる影響（違和感の発生等）を最小限に抑えることができる。
【００５８】
なお、本発明は上記実施形態に限定されるものではなく、本発明の要旨の範囲内において種々の変形実施が可能である。例えば、上述した実施形態では、ＦＭ放送波受信時の音声出力に含まれるＬＣＤユニット２２の水平同期周波数に起因するビートノイズの発生を防止するようにしたが、ＡＭ放送波受信時などのＦＭ放送波以外の放送波受信時に発生するビートノイズの発生についても本発明を適用することができる。
【００５９】
また、上述した実施形態では、水平同期周波数設定情報（対応テーブル）をフラッシュメモリ６０に格納したが、その他の半導体メモリやハードディスクなどを用いて同様の情報を格納するようにしてもよい。
【産業上の利用可能性】
【００６０】
上述したように、本発明によれば、水平同期周波数の整数倍の周波数とＦＭ放送波の受信周波数とが接近することによる利用者の可聴範囲に含まれるビートノイズの発生を、ドットクロックの周波数を変更する場合のような大幅な構成の変更を伴うことなく、確実に防止することができる。
【００６１】
また、上述した実施形態ではＦＭ放送受信時であってその操作画面や動作画面を表示している場合に本発明を適用したが、任意選択である垂直ブランキング期間調整部５６による調整動作を有効にした場合には、リフレッシュレートが一定に維持されるため、ＦＭ放送受信時にその操作画面や動作画面以外の映像を表示する場合についても本発明を適用することができる。例えば、ナビゲーション動作中に自車位置周辺の地図表示を行いながらＦＭ放送の音声を聴取するような場合であっても本発明を適用することができる。
【符号の説明】
【００６２】
１  車載装置
１４  ＡＭラジオチューナ
２０  映像描画処理部
２２  ＬＣＤユニット
３０  タッチパネル
３２  タッチパネル制御部
５０  制御部
５２  ＦＭラジオ制御部
５４  水平同期周波数設定部
５６  垂直ブランキング期間調整部
６０  フラッシュメモリ
【図１】
0006284456.tif 000002
【図２】
0006284456.tif 000003
【図３】
0006284456.tif 000004
【図４】
0006284456.tif 000005